(57)【特許請求の範囲】
【請求項１】
挿入される第１の媒体を取込み、処理部まで搬送する第１の媒体搬送路と、
該第１の媒体搬送路の上段側に設けられ、挿入される第２の媒体を取込み搬送する第２の媒体搬送路と、
前記第１の媒体搬送路と前記第２の媒体搬送路の合流部を設け、該合流部の先に共通搬送路を有する通帳伝票プリンタにおいて、
前記第１の媒体と第２の媒体を順次処理部まで取込む際に、前記第２の媒体が先に前記第２の媒体搬送路に挿入された場合には、該第２の媒体を前記合流部近傍まで吸入させる搬送制御手段を有することを特徴とする通帳伝票プリンタ。
【請求項２】
請求項１記載の通帳伝票プリンタにおいて、
該吸入動作は、前記第２の媒体のみを単独で取込み、処理部まで搬送する吸入動作と異なる搬送制御である通帳伝票プリンタ。
【請求項３】
請求項２記載の通帳伝票プリンタにおいて、
該吸入動作は、一定量の搬送と一定時間の停止の交互繰り返しによる搬送制御である通帳伝票プリンタ。
【請求項４】
挿入される第１の媒体を取込み、処理部まで搬送する第１の媒体搬送路と、
該第１の媒体搬送路の上段側に設けられ、第２の媒体を取込み搬送する第２の媒体搬送路を有する通帳伝票プリンタにおいて、
前記第２の媒体搬送路に設けられた媒体挿入検出手段と、
前記第２の媒体搬送路に挿入される第２の媒体の一側辺を案内する媒体挿入ガイドと、
前記第２の媒体搬送路に挿入される第２の媒体を挟時して、該第２の媒体を前記媒体挿入ガイドまで引き寄せる媒体幅寄せ手段とを設け、
前記媒体挿入検出手段が第２の媒体を検出した時に、前記媒体幅寄せ手段を制御して第２の媒体を挟時したまま待機させ、前記第１の媒体の取込みを指示する信号により、前記媒体幅寄せ手段を更に制御して前記媒体挿入ガイドまで引き寄せる制御手段を有することを特徴とする通帳伝票プリンタ。
【請求項５】
請求項４記載の通帳伝票プリンタにおいて、
前記媒体幅寄せ手段は、
回転部材の一部に高摩擦部を設け、該高摩擦部が前記第２の媒体搬送路に突出した時には、挿入された前記第２の媒体と圧接可能な幅寄せローラと、
該幅寄せローラの回転を行う駆動モータとを有し、
媒体幅寄せ動作は前記駆動モータを間欠的に回転制御させて行う通帳伝票プリンタ。
【請求項６】
挿入される第１の媒体を取込み、処理部まで搬送する第１の媒体搬送路と、
該第１の媒体搬送路の上段側に設けられ、第２の媒体を取込み搬送する第２の媒体搬送路を有する通帳伝票プリンタにおいて、
前記第２の媒体搬送路に設けられた媒体挿入検出手段と、
前記第２の媒体搬送路に挿入される第２の媒体の一側辺を案内する媒体挿入ガイドと、
前記第２の媒体搬送路に挿入された前記第２の媒体を前記媒体挿入ガイドまで引き寄せる媒体幅寄せ手段と、
該媒体幅寄せ手段は、
回転部材の外周部に高摩擦部を配し、該高摩擦部が前記第２の媒体搬送路に突出し、挿入される前記第２の媒体と接離可能な幅寄せローラと、
該幅寄せローラを軸支し、回転させる駆動モータと、
該駆動モータ軸と前記幅寄せローラ軸間に一方向回転クラッチを介在させたことを特徴とする通帳伝票プリンタ。
【請求項７】
請求項６記載の通帳伝票プリンタにおいて、
前記媒体挿入検出手段が前記第２の媒体を検出したとき、前記媒体幅寄せ手段を制御して挿入された前記第２の媒体を前記幅寄せローラにより挟持する通帳伝票プリンタ。
【請求項８】
処理媒体を取込み、処理部まで搬送する媒体搬送路と、
該媒体搬送路に挿入される媒体の一側辺の位置を規制する媒体挿入ガイドと、
前記媒体搬送路に挿入される媒体の裏面位置を規制する媒体挿入ステージと、
前記媒体挿入ガイドに、媒体の任意の位置に処理するための処理位置合せマークを設けた通帳伝票プリンタにおいて、
前記処理位置合せマークを少なくとも２個所に配設し、いずれか一個を有効にする手段を設けたことを特徴とする通帳伝票プリンタ。
【請求項９】
請求項８記載の通帳伝票プリンタにおいて、
前記処理位置合せマークは媒体挿入ガイドに設けた光透過部とし、該光透過部に向かって可視光を照射して前記媒体挿入ステージ上に光線路を形成する通帳伝票プリンタ。
【請求項１０】
請求項８記載の通帳伝票プリンタにおいて、
前記処理位置合せマークは、個々に発光可能な発光素子で前記媒体挿入ガイドに設けられ、該処理位置合せマークと端部が一致する横罫線を前記媒体挿入ステージ上に設けた通帳伝票プリンタ。
【発明の詳細な説明】
【０００１】
【発明の属する技術分野】
本発明は通帳や伝票等の媒体に対して、任意の位置に処理を行う通帳伝票プリンタに関する。
【０００２】
【従来の技術】
金融機関で使用される通帳や伝票を処理（例えば印字）する通帳伝票プリンタは図１９に示すような媒体搬送機構で形成されている。図において、２は印字処理される第１の媒体（以後、通帳とする）であり、係員により媒体挿入ガイド３ａに通帳２の一側辺を沿わせて、かつ、通帳挿入ステージ３ｂ上を手挿入される。挿入された通帳２を通帳挿入検出センサＳＥ１が検出するとプレッシャローラ４が動作して対向して設けたフィードローラ５とで挟持，圧接する。挟持した状態を維持したままフィードローラ５を回転させると通帳２は下側ガイド３ｄ及び上側ガイド３ｅにその表裏、及び一側辺位置の規制を受けながら内部に搬送される。以上の媒体挿入ガイド３ａ，通帳挿入ステージ３ｂ，下側ガイド３ｄ，上側ガイド３ｅ等により通帳搬送路３が形成される。
【０００３】
通帳伝票プリンタによっては、通帳２側の通帳挿入ステージ３ｂの上段に第２の媒体（以後、伝票とする）６を挿入可能にした伝票挿入ステージ７を設けた形式のものが考案され、金融機関の窓口端末としての通帳伝票プリンタの小型化が図られている。この上段に挿入する伝票６も、下段側と同様にプレッシャローラ８が動作して対向して設けたフィードローラ９とで挟持，圧接できる。そしてこの状態を維持したままフィードローラ９を回転させると伝票６はその表裏、及び一側辺位置の規制を受けながら内部に搬送される。
【０００４】
通帳２において所望の印字位置，例えば図示する印字位置２ａに印字を行う場合には媒体挿入ガイド３ａ側に設けた印字位置合せマーク３ｃと通帳２に設けた位置マーク２ｂを目視で合わせる。次にプレッシャローラ４を動作させ、フィードローラ５とで通帳２を挟持して所定量だけ搬送させることにより印字位置において印字処理を施すことができる。この印字位置合せマーク３ｃと通帳２の印字位置を合せる操作を「手合せ操作」とする。
【０００５】
特に近来では省資源等の問題から印字情報量は変えずに媒体の小サイズ化，又は、情報量の増加に伴う印字可能範囲の拡大などが望まれている。よって、結果として媒体の端部から印字許容領域までの余白部が減少する傾向にある。例えば、媒体の上下端（辺）から各々、Ｌ１＝１０〜１５ｍｍの余白部しか許容されないという場合もある。
【０００６】
【発明が解決しようとする課題】
このような通帳伝票プリンタには次のような問題があった。挿入された媒体（通帳）２にプレッシャローラ４を動作させて通帳２をクランプする場合において、図２０に示すようにフィードローラ５の中心より通帳２の先端までの距離（Ｇ）を最低でも２ｍｍ以上を確保することが望まれる。このオーバラップ量が少ないとフィードローラ５を矢印Ａ方向に回転させたときにスリップ等が生じて、吸入不可能となる。また、前述したように通帳２の上端から例えば１２ｍｍ（Ｌ１寸法）の位置に印字を行うためには、その位置に印字位置合せマーク３ｃを設定することが必要となる。言い換えると、フィードローラ５の中心から１０ｍｍの位置に印字位置合せマーク３ｃを設ける。また、フィードローラ５等の機構部に触れないように上側ガイド３ｅを形成することや挿入時の操作性向上のために上側ガイド３ｅの先端面には斜面を形成させたため、印字位置合せマーク３ｃが見ずらいと言う問題があった。
【０００７】
通帳伝票プリンタでは上段に伝票６を挿入するが、その伝票６の縦長さにより伝票６の後端が伝票挿入ステージ７より垂れ下がり、印字位置合せマーク３ｃを隠してしまうことになる。この場合、通帳２を先にセットすれば解決できる問題ではあるが、通帳２に複数回の印字が必要な時や、排出された通帳２を再度セットする場合を考慮すると満足できるものではなかった。
【０００８】
【課題を解決するための手段】
第１の実施の形態では、挿入される第１の媒体を取込み、処理部まで搬送する第１の媒体搬送路と、第１の媒体搬送路の上段側に設けられ、挿入される第２の媒体を取込み搬送する第２の媒体搬送路と、第１の媒体搬送路と第２の媒体搬送路の合流部を設け、合流部の先に共通搬送路を有する通帳伝票プリンタにおいて、第１の媒体と第２の媒体を順次処理部まで取込む際に、第２の媒体が先に挿入された場合には第２の媒体を合流部近傍まで吸入させる搬送制御手段を設ける。
【０００９】
第２の実施の形態では、挿入される第１の媒体を取込み、処理部まで搬送する第１の媒体搬送路と、第１の媒体搬送路の上段側に設けられ、第２の媒体を取込み搬送する第２の媒体搬送路を有する通帳伝票プリンタにおいて、第２の媒体搬送路に設けられた媒体挿入検出手段と、第２の媒体搬送路に挿入される第２の媒体の一側辺を案内する媒体挿入ガイドと、第２の媒体搬送路に挿入された第２の媒体を挟時して、第２の媒体を媒体挿入ガイドまで引き寄せる媒体幅寄せ手段とを設け、媒体挿入検出手段が第２の媒体を検出した時に、媒体幅寄せ手段を制御して第２の媒体を挟時したまま待機させ、第１の媒体の取込みを指示する信号により、媒体幅寄せ手段を更に制御して媒体挿入ガイドまで引き寄せる制御手段を設けた。
【００１０】
第３の実施の形態では、挿入される第１の媒体を取込み、処理部まで搬送する第１の媒体搬送路と、第１の媒体搬送路の上段側に設けられ、第２の媒体を取込み搬送する第２の媒体搬送路を有する通帳伝票プリンタにおいて、第２の媒体搬送路に設けられた媒体挿入検出手段と、第２の媒体搬送路に挿入される第２の媒体の一側辺を案内する媒体挿入ガイドと、第２の媒体搬送路に挿入された第２の媒体を、第２の媒体を媒体挿入ガイドまで引き寄せる媒体幅寄せ手段と、媒体幅寄せ手段は、回転部材の外周部に高摩擦部を配し、その高摩擦部が第２の媒体搬送路に突出し、挿入される第２の媒体と接離可能な幅寄せローラと、幅寄せローラを軸支し回転させる駆動モータ軸と幅寄せローラ軸間に一方向回転クラッチを介在させる。
【００１１】
第４の実施の形態では、処理媒体を取込み、処理部まで搬送する媒体搬送路と、媒体搬送路に挿入される媒体の一側辺の位置を規制する媒体挿入ガイドと、媒体搬送路に挿入される媒体の裏面位置を規制する媒体挿入ステージと、媒体挿入ガイドに、媒体の任意の位置に処理するための処理位置合せマークを設けた通帳伝票プリンタにおいて、処理位置合せマークを少なくとも２個所に配設し、いずれか一個を有効にする手段を設けた。
【００１２】
【発明の実施の形態】
本発明の第１の実施の形態を説明する。図１は本発明の通帳伝票プリンタの要部構成を示す概略側面図で、図２は通帳伝票プリンタを示す概略側面図である。また、図３は通帳伝票プリンタの制御ブロック図である。
【００１３】
１は通帳伝票プリンタであり、第１の媒体である通帳２を下段に、第２の媒体である伝票６を上段側から挿入可能な構成のものである。４はプレッシャローラであり対向して配置されているフィードローラ５と共に下側ガイド３ｄ及び上側ガイド３ｅに設けられた穴部から第１の媒体搬送路（以後、通帳搬送路とする）３に突出可能に構成され、通帳２を挟持，圧接可能になっている。８はプレッシャローラであり対向して配置されているフィードローラ９と共に第２の媒体搬送路（以後、伝票搬送路とする）１０に突出可能に構成され、伝票挿入ステージ７に沿って挿入される伝票６を挟持,圧接可能になっている。
【００１４】
通帳搬送路３の上段に設けられた伝票搬送路１０は内部において合流している。その合流部１２には、図示しない駆動源によりシャフト１３ａを中心に回動して、搬送される通帳２又は伝票６を共通搬送路１１へと誘導するためのブレード１３がある。なお、本実施の形態では図示するように無動作状態では通帳搬送路３と共通搬送路１１が接続されており、略一直線上になっている。
【００１５】
１４は通帳搬送路３の始端部である通帳挿入口であり、ここから処理すべき通帳２を係員が手挿入することになる。この通帳挿入口１４側より目視可能な位置に処理位置合せマーク（以後、印字位置合せマークとする）３ｃが設けられており、本実施の形態では媒体挿入ガイド３ａに三角マークを設け、同マークを着色して表示していることにする。なお、通帳２側にも同様に位置マーク２ｂが印刷されていて、本処理操作において印字しようとする位置マーク２ｂを印字位置合せマーク３ｃに手合せすることになる。
【００１６】
１５は挿入された通帳２に設けられた磁気ストライプの記録情報を処理する磁気ストライプリードライト部であり磁気ヘッド１５ａなどで構成される。１６は通帳２に設けられた頁マーク情報の読取処理などを行うページ・行読取センサ（ＰＳセンサ）である。
【００１７】
１７はフィードローラ５の回転により印字位置まで搬送された通帳２又は伝票６に対して印字を行うための印字ヘッドである。１８は印字ヘッド１７に対向配置されたプラテンである。１９は改頁部であり、通帳２の印字頁に印字可能行がなくなった場合に頁捲りを行うためのものである。
【００１８】
２０は通帳ＬＦモータ（ＬＦ：ラインフィード）であり、前述したフィードローラ５を回転させる動力源である。フィードローラ５はフィードシャフト５ａに固着され同心度や外径寸度が厳密に製造、管理されており通帳ＬＦモータ２０の回転量を制御することにより挟持した通帳２の搬送量を管理できる。
【００１９】
２１は伝票ＬＦモータであり、前述したフィードローラ９を回転させる動力源である。フィードローラ９はフィードシャフト９ａに固着され同心度や外径寸度が厳密に製造、管理されており伝票ＬＦモータ２１の回転量を制御することにより挟持した伝票６の搬送量を管理できる。なお、この通帳ＬＦモータ２０及び伝票ＬＦモータ２１はステッピング駆動が可能なモータ（ステッピングモータ）であり、共通搬送路１１における媒体搬送の駆動源は通帳ＬＦモータ２０が兼用することにする。
【００２０】
２２は通帳クランプマグネットであり、図示しないフレームに回転可能に軸支されているプレッシャシャフト４ｃを所定の角度だけ回動させるものである。プレッシャシャフト４ｃにはプレッシャローラ４を先端に保持したローラアーム４ａが設けられており、このローラアーム４ａにシャフト４ｂによりプレッシャローラ４が自由に回動可能に軸支されている。
【００２１】
通帳クランプマグネット２２を励磁することにより所定の角度だけローラアーム４ａが回転する。この回転によりローラアーム４ａの先端のプレッシャローラ４がフィードローラ５に近づき、最終的にはローラアーム４ａを撓ませてフィードローラ５と圧接状態となる。
【００２２】
このローラアーム４ａの撓みにより圧接力を発生させているが、通帳クランプマグネット２２の励磁が停止されると図示しないスプリングの張力によりプレッシャローラ４はフィードローラ５から離れ、上側ガイド３ｅより上方に戻る。
【００２３】
２３は伝票クランプマグネットであり、フィードローラ９と対向して配置されているプレッシャローラ８とで伝票２を挟持するもので、細部は通帳側と同一であるので説明を省略する。第１の実施の形態においては、磁気ストライプリードライト部１５、ページ行読取センサ１６、印字ヘッド１７及びプラテン１８等で構成される印字機構及び改頁部１９などの詳細な説明も省略する。
【００２４】
ＳＥ１は通帳挿入検出センサであり、発光ダイオードと受光トランジスタを対向配置し構成された光学検出器で通帳搬送路３と直交する方向に光軸を透過させてある。この光軸を通帳２が遮断することにより生じる受光トランジスタの出力変動を利用してＯＮ／ＯＦＦ信号を得ることができる。ＳＥ２は伝票挿入検出センサであり、図示するように伝票６の挿入を検出する光学検出器で、伝票搬送路１０と直交する方向に光軸を透過させてある。この光軸を伝票６が遮断することにより生じる受光トランジスタの出力変動を利用してＯＮ／ＯＦＦ信号を得ることができる。
【００２５】
２４はドライバ回路であり、前述した各モータ２０，２１及び各マグネット２２，２３の駆動回路である。２５はアンプ回路であり、通帳挿入検出センサＳＥ１や伝票挿入検出センサＳＥ２等の増幅回路であり、制御部２６が各信号を検出することにより制御部２６からドライバ回路２４に駆動指示が発信されるようにプログラムされている。また、２７は各種の動作制御プログラムが格納されたＲＯＭやＣＤ−ＲＯＭ及び動作情報などを一時的に格納するＲＡＭなどで構成された記憶部である。
【００２６】
２８はセット釦であり、通帳伝票プリンタ１の表面に配設されているもので、通帳２を挿入し、手合せ操作後に係員が押下することにより「セット完了」信号が発信される。この信号を受信した制御部２６はドライバ回路２４を制御して通帳クランプマグネット２２を励磁させるものである。
【００２７】
２９はキーボード部であり、取引処理入力するための各種キースイッチにより構成される。３０はＬＣＤまたはＣＲＴ等により構成される表示部であり、取引画面や入力誘導画面等が表示可能なものである。以上説明した各部の他に、電源部や上位装置との接続口であるインターフェース部等を有するが省略する。
【００２８】
＜媒体の手合せ動作１＞
本発明の通帳伝票プリンタにおける手合せ時の動作を図４に示す動作フローチャートにより説明する。なお、Ｓは動作ステップを示す。
係員はキーボード部２９から「手合せ印字処理」を指示入力すると、制御部２６はセット釦２８を有効にする。続いて、通帳挿入口１４から媒体挿入ガイド３ａに沿って通帳２が挿入されると、通帳挿入検出センサＳＥ１がこれを検出する。また、伝票６が挿入されると伝票挿入検出センサＳＥ２がこれを検出することになる（Ｓ１）。まず、伝票６が挿入された場合を説明する。
【００２９】
制御部２６は伝票挿入検出センサＳＥ２の検出信号を得ると、伝票クランプマグネット２３を励磁してプレッシャローラ８を動作させて伝票６を挟持する（Ｓ２）。この動作後においても伝票挿入検出センサＳＥ２がＯＮ状態を維持していたら（Ｓ３）、通帳クランプマグネット２２の励磁を無効にしてクランプ待機状態にする（Ｓ４）。また、伝票挿入検出センサＳＥ２がＯＦＦ状態となっていれば伝票クランプマグネット２３の励磁を中止して、プレッシャローラ８を開放させステップＳ１に戻る（Ｓ５）。
【００３０】
制御部２６は記憶部２７に記憶されている制御プログラムに従って、伝票ＬＦモータ２１を逆回転させる（Ｓ６）。このフィードローラ９の逆回転により伝票６は排出方向に移動し、間もなく伝票挿入検出センサＳＥ２がＯＦＦすることになる（Ｓ７）。伝票挿入検出センサＳＥ２がＯＦＦしてから所定パルス（Ｘ１パルス）で伝票ＬＦモータ２１の逆回転を停止させる（Ｓ８）。この位置での伝票６はプレッシャローラ８とフィードローラ９で挟持され、かつ、伝票挿入検出センサＳＥ２はＯＦＦ状態である。
【００３１】
制御部２６は伝票ＬＦモータ２１の正回転を指示し、伝票６の吸入を開始する（Ｓ９）。約Ｘ１パルス程度の吸入が行われると、伝票挿入検出センサＳＥ２がＯＮとなる（Ｓ１０）。伝票挿入検出センサＳＥ２がＯＮしたら制御部２６は伝票ＬＦモータ２１を一定量パルス（Ｘ２パルス）の駆動制御を行う。この一定量パルスの駆動は加速ステップ数と減速ステップ数を考慮すると比較的に低速での回転となる（Ｓ１１）。 この一定量パルス数の駆動が完了したら制御部２６内でカウント値に「１」を加算とすると共に、停止後の安定時間としてＹ秒程度の待ち時間を設ける（Ｓ１２）。制御部２６はカウント値がＮ回以下であればステップＳ８、Ｓ９を繰り返す（Ｓ１３）。
【００３２】
ステップＳ１３において、カウント値がＮ回になったら停止後の安定時間が終了した時点で、次ぎの伝票ＬＦモータ２１の回転を行わずに停止する（Ｓ１４）。以上のステップＳ１１〜Ｓ１３の動作により伝票６は伝票挿入検出センサＳＥ２がＯＮした後で規定量（Ｘ２パルス×Ｎ回）の吸入されたことになる。この吸入量は正確に管理可能であるため、予め伝票挿入検出センサＳＥ２の位置からブレード１３の近傍までの寸法（図１に示すＬ２寸法）に設定しておけば、伝票６は常に同位置まで吸入されることになる。
【００３３】
制御部２６が吸入指示を発信すれば、図示しないブレードマグネットを励磁させて共通搬送路１１への接続ルートを構築して、伝票ＬＦモータ２１を駆動させて伝票６を更に吸入することになる（Ｓ１５）。この吸入は処理位置（印字位置など）に向って所定の加速ステップ数の加速が行える搬送量となるため、結果としては高速で搬送される。以上の動作により、伝票６の後端は伝票ステージ７上まで引き上げられる。
【００３４】
ステップＳ１において、通帳挿入検出センサＳＥ１が通帳２を検出した場合を説明する。なお、通帳２と伝票６を同時に挿入することは無理な操作であり、現実的には不可能である。よって、この場合にはいずれにしても伝票６は「未挿入」と判断する。
【００３５】
制御部２６は通帳クランプマグネット２２の励磁を無効にしてクランプ待機状態を維持する（Ｓ１６）。通帳２の手合せが完了しセット釦２８が押下されると（Ｓ１７）、制御部２６はこの信号を受けて通帳クランプマグネット２２を励磁させて通帳２を挟持する（Ｓ１８）。制御部２６が吸入指示を発信すれば、通帳ＬＦモータ２０を回転駆動して通帳２を所定量だけ吸入することになる（Ｓ１９）。この吸入により手合せした印字位置２ａはプラテン１８まで搬送され、印字ヘッド１７により印字処理が行われることになる。
【００３６】
伝票６が挿入され伝票挿入検出センサＳＥ２がＯＮしていれば（Ｓ２０）、伝票クランプマグネット２３を励磁させて伝票６を挟持する（Ｓ２１）。制御部２６が吸入指示を発信すれば、ブレード１３及び伝票ＬＦモータ２１を回転駆動して伝票６の吸入を開始することになる。なお、通帳２が先行して吸入されている場合には通帳２の処理が終了してから行われることは言うまでもない。
【００３７】
ステップＳ１７でセット釦２８が所定時間押下されないとタイムアウトになる。例えば、通帳挿入検出センサＳＥ１がＯＮしてから１０秒経過してもセット釦２８が押下されないときに係員に継続して処理を行うか、又は取消しするか表示部３０を利用して報知する。
【００３８】
以上、説明したように伝票６が挿入されるとその伝票６の先端が合流部１２近傍に達するまで伝票搬送路１０内を搬送させる、よって、伝票６の後端が伝票挿入ステージ７より引き上げられるため、比較的に縦長さの長い伝票６であっても印字位置合せマーク３ｃを隠すことがなくなり、手合せが容易になる。更に、この伝票搬送は印字処理のための吸入命令より先行して実行されるが、一定量パルス毎の間欠搬送であるため通常の吸入動作（連続搬送）と異なるので、係員に容易に識別できるため、誤って引き抜くことなどが発生し難い。
【００３９】
本発明の第２の実施の形態の説明を行う。図５は通帳伝票プリンタの要部構成を示す斜視図で、図６は図５の矢印Ｂ−Ｂ方向から見た伝票搬送路に設けた幅寄せの概念を示している。図７はその制御ブロック図である。なお、通帳伝票プリンタを含め、第１の実施の形態と同じ部分は同一の符号を付して、説明は省略し異なる部分のみを説明する。
【００４０】
ＳＥ２は前述の伝票挿入検出センサであり、ＳＥ３は伝票挿入ガイド７ａの直近に設けられた幅寄せ検出センサである。これらの各センサＳＥ２，ＳＥ３は発光ダイオードと受光トランジスタを対向配置し構成された光学検出器で伝票搬送路１０と直交する方向に光軸を透過させてある。この光軸が図示するように上側ガイド７ａ及び下側ガイド７ｂに設けた小径穴３３ｄ，３３ｅを通過しており、伝票６により光軸が遮断されることにより生じる受光トランジスタの出力変動を利用してＯＮ／ＯＦＦ信号を得ることができる。
【００４１】
３４は幅寄せモータであり、その回転軸の一端には幅寄せローラ３５を固着している。この幅寄せローラ３５は外周部の一部に高摩擦部材で構成された突起部３５ａを有しており、幅寄せローラ３５が回転すると、この突起部３５ａが伝票搬送路１０に突出する。摩擦部材で形成されるこの種のローラは公知（例えば、特公平３−７８２７７号）であるので説明は省略するが幅寄せの機能としては斜めに挿入された場合であっても伝票６が伝票挿入ガイド７ａに当接する際に、矯正され一側辺が密着できるものとする。
【００４２】
３６はアイドルローラであり、図示しない支持軸により自由回転が可能に軸支され、幅寄せローラマグネット３７が励磁されると下側ガイド７ｄから外周部の一部が突出し、前述した幅寄せローラ３５と対向する。なお、このアイドルローラ３６は幅寄せローラマグネット３７が励磁された時点には、上方に付勢されているが矢印Ｃ方向には自由に押し下げ可能になっている。これらの幅寄せローラ３５及びアイドルローラ３６は上側ガイド７ｅ及び下側ガイド７ｄに設けた逃穴３８ｄ，３８ｅから伝票搬送路１０に突出することになる。
【００４３】
３９は幅寄せモータ３４の回転軸のに固着されたディスク板であり、その一部には光透過穴３９ａを有している。この光透過穴３９ａに対応する位置には幅寄せホームポジション検知センサ（以後、幅寄せＨＰセンサとする）ＳＥ４が配設されており、光透過穴３９ａを光軸が通過するとＯＮ信号を得ることができる。制御部２６はこの幅寄せＨＰ検知センサＳＥ４からの信号により幅寄せモータ３４の停止位置及び回転量（数）を管理する。なお、原点位置において突起部３５ａは、伝票搬送路１０に突出していない位置となっている。
【００４４】
下側ガイド７ｄと一体に形成される伝票挿入ステージ７にはガイドライン７ｂが設けてある。このガイドライン７ｂは目視可能で、かつ、触手すると触感を覚える程度の長尺状の溝で形成してある。
【００４５】
ガイドライン７ｂと伝票挿入検出センサＳＥ２と幅寄せローラ３５の位置関係は図６に示すように、伝票挿入ガイド７ａに近い方からガイドライン７ｂ，伝票挿入検出センサＳＥ２そして幅寄せローラ３５の順である。なお、幅寄せローラ３５は伝票６の最小横幅を考慮して配設されていることは言うまでもない。
【００４６】
＜媒体の手合せ動作２＞
本発明の通帳伝票プリンタの第２の実施の形態における手合せ時の動作を図８に示す動作フローチャートにより説明する。なお、Ｓは動作ステップを示す。
【００４７】
係員はキーボード部２９から「手合せ印字処理」を指示入力すると、制御部２６はセット釦２８を有効にする。続いて、通帳挿入口１４から媒体挿入ガイド３ａに沿って通帳２が挿入されると、通帳挿入検出センサＳＥ１がこれを検出する。また、伝票６が挿入されると伝票挿入検出センサＳＥ２がこれを検出することになる（Ｓ３１）。まず、伝票６が挿入された場合を説明する。
【００４８】
係員は伝票６を手に持って、伝票挿入ステージ７から伝票搬送路１０に向かって挿入することになる。この操作時に係員は次の手順として通帳２の手合わせ挿入（操作）を行うことを承知しているので、予め取扱要領として理解している手順に従って、伝票挿入ガイド７ａから所定量だけ離して挿入する。この挿入操作は挿入時の突当て壁面が利用できないので、ガイドライン７ｂに沿って挿入され、伝票６によりガイドライン７ｂが隠れる位置となり、かつ、斜めに挿入されることもある。図６に示したように、ガイドライン７ｂが隠れる位置での挿入は、当然，伝票挿入検出センサＳＥ２がＯＮすることになる。
【００４９】
制御部２６は伝票挿入検出センサＳＥ２の検出（ＯＮ）信号を得ると、伝票クランプマグネット２３を励磁してプレッシャローラ８を動作させて伝票６を挟持する（Ｓ３２）。この動作後においても伝票挿入検出センサＳＥ２がＯＮ状態を維持していたら（Ｓ３３）、通帳クランプマグネット２２の励磁を無効にしてクランプ待機状態にする（Ｓ３４）。また、伝票挿入検出センサＳＥ２がＯＦＦ状態となっていれば伝票クランプマグネット２３の励磁を中止して、プレッシャローラ８を開放させステップＳ３１に戻る（Ｓ３５）。
【００５０】
次に係員は、通帳２を持って印字位置合せマーク３ｃと所望する印字位置に対応する位置マーク２ｂを目視で一致させる（Ｓ３６）。この手合せ操作時には、例えば伝票６の後端部が伝票挿入ステージ７から垂れ下がっていても、媒体挿入ガイド３ａから離れているので印字位置合せマーク３ｃが見にくいことはない。
【００５１】
通帳２の手合せが完了しセット釦２８が押下されると（Ｓ３７）、制御部２６はこの信号を受けて通帳クランプマグネット２２を励磁させて通帳２を挟持する（Ｓ３８）。制御部２６が吸入指示を発信すれば、通帳ＬＦモータ２０を回転駆動して通帳２を所定量だけ吸入することになる（Ｓ３９）。この吸入により手合せした通帳２はプラテン１８まで搬送され、印字ヘッド１７により印字処理が行われることになる。
【００５２】
次に伝票の処理に戻って説明すると、制御部２６は幅寄せローラマグネット３７を励磁させる。幅寄せローラマグネット３７によりアイドルローラ３６が上昇し、伝票搬送路１０の下側ガイド７ｄより外周部が突出する（Ｓ４０）。ステップＳ４０の幅寄せローラマグネット３７の励磁後、所定時間が経過したら伝票クランプマグネット２３の励磁を中止する（Ｓ４１）。
【００５３】
幅寄せ検出センサＳＥ３のＯＮ／ＯＦＦを確認すると、前述したように伝票６は伝票挿入ガイド７ａから離れて挿入されているので、「ＯＦＦ」検知となるはずである（Ｓ４２）。制御部２６が幅寄せモータ３４に回転命令を指示すると、図６に示す矢印Ｄ方向に幅寄せローラ３５が回転する（Ｓ４３）。この回転が行われると幅寄せＨＰセンサＳＥ４から１回転毎にＯＮ／ＯＦＦ信号が発信され、制御部２６はこの回数をカウントする（Ｓ４４）。幅寄せローラ３５が回転すると突起部３５ａが上側ガイド７ｅより伝票搬送路１０側に移動してくる、そして、突起部３５ａは伝票６の表面に圧接し、伝票６を伝票挿入ガイド７ａに向かって移動させる。よって、幅寄せローラ３５が連続して回転されると、突起部３５ａにより間欠的に伝票６が伝票挿入ガイド７ａに向って移動する。
【００５４】
制御部２６によるカウントが行われ、その回数が予め定めた回数（Ｎ）以上になっても幅寄せ検出センサＳＥ３からのＯＮ信号が得られなかったら幅寄せ不良として処理を中止する（Ｓ４５）。ステップＳ４２，４３，４４の動作、及び幅寄せ検出センサＳＥ３がＯＮ（伝票の挿入が伝票挿入ガイド７ａに沿って行われた場合などを含め）したら、最後に幅寄せモータ３４に１回転量の回転命令を送信して、初期位置にて停止させる（Ｓ４６）。
【００５５】
幅寄せＨＰセンサＳＥ４からの信号により、幅寄せモータ３４が原点位置に停止したことを確認したら、伝票クランプマグネット２３を励磁させて、伝票６を挟時した後（Ｓ４７）、所定時間が経過したら幅寄せローラマグネット３７の励磁を中止する（Ｓ４８）。
【００５６】
制御部２６が吸入指示を発信すれば、伝票ＬＦモータ２１を回転駆動して伝票６を所定量だけ吸入することになる（Ｓ４９）。伝票挿入ガイド７ａまで引き寄せられた伝票６は、この吸入によりプラテン１８まで搬送され、印字ヘッド１７により印字処理が行われることになる。
【００５７】
ステップＳ３１において、通帳挿入検出センサＳＥ１が通帳２を検出した場合を説明する。なお、通帳２と伝票６を同時に挿入することは無理な操作であり、現実的には不可能である。よって、この場合にはいずれにしても伝票６は「未挿入」と判断するのは前述した通りである。
【００５８】
制御部２６は通帳クランプマグネット２２の励磁を無効にしてクランプ待機状態を維持する（Ｓ５０）。通帳２の手合せが完了しセット釦２８が押下されると（Ｓ５１）、制御部２６はこの信号を受けて通帳クランプマグネット２２を励磁させて通帳２を挟持する（Ｓ５２）。制御部２６が吸入指示を発信すれば、通帳ＬＦモータ２０を回転駆動して通帳２を所定量だけ吸入することになる（Ｓ５３）。この吸入により手合せした通帳２はプラテン１８まで搬送され、印字ヘッド１７により印字処理が行われることになる。
【００５９】
制御部２６は伝票挿入検出センサＳＥ２の検出（ＯＮ）信号を得ると（Ｓ５４）、伝票クランプマグネット２３を励磁してプレッシャローラ８を動作させて伝票６を挟持する（Ｓ５５）。この動作後においても伝票挿入検出センサＳＥ２がＯＮ状態を維持していたら（Ｓ５６）、ステップＳ４０に移行する。また、伝票挿入検出センサＳＥ２がＯＦＦ状態となっていれば伝票クランプマグネット２３の励磁を中止して、プレッシャローラ８を開放させステップＳ５４に戻る（Ｓ５７）。
【００６０】
以上、説明したように伝票６は伝票挿入ガイド７ａから所定量離して挿入されるため、縦長さの長い伝票６であっても印字位置合せマーク３ｃを隠すことがなくなり、手合せが容易になる。更に、この伝票６は伝票挿入ガイド７ａに向かって、間欠動作で移動するため通常の吸入動作（特にジャム発生時の動作）と異なるので係員に容易に識別でき心理的な負担を科すことがない。
【００６１】
本発明の第３の実施の形態を説明する。図９は通帳伝票プリンタの要部構成を示す斜視図で、図１０は図９の矢印Ｅ−Ｅ方向から見た伝票搬送路に設けた幅寄せの概念を示している。なお、第２の実施の形態と同じ部分は同一の符号を付して、説明は省略し異なる部分のみを説明する。また、制御ブロック図は図７を参照する。
【００６２】
４０は幅寄せモータであり、同軸には幅寄せローラ４１を軸支している。この幅寄せローラ４１には少なくとも外周部が高摩擦部材で形成されている。幅寄せモータ軸と幅寄せローラ４１間には一方向回転クラッチ４１ａが介在している。この一方向回転クラッチ４１ａにより、幅寄せモータ４０が右回転（矢印Ｍ方向）に回転する時には幅寄せローラ４１に回転力を伝達し、左回転（矢印Ｈ方向）に回転する場合にはスベリが発生するようになっている。なお、幅寄せモータ４０は低速回転が可能であれば直流モータ等でも構わないがステッピングモータとして説明する。
【００６３】
この幅寄せ機構は原理的には、例えば実開昭６２−８６３５４号に開示されるような構成であって、幅寄せローラ４１が伝票搬送路１０に突出可能に支持される。この突出動作を行うための駆動源が幅寄せローラマグネット３７であることとして説明する。よって、第２の実施の形態で説明した機能とは異なる。
【００６４】
４２はアイドルローラであり、支持軸４２ａにより自由回転が可能に軸支されているもので、下側ガイド７ｄから外周部の一部が突出し、前述した幅寄せローラ４１と対向する。このアイドルローラ４２は常時上方に付勢されているが矢印Ｃ方向には自由に押し下げ可能になっており、かつ、外周面の一部が常時、伝票搬送路１０に突出する関係から、搬送方向に障害とならないように斜面部（ソロバン玉のような形状）を有している。
【００６５】
＜媒体の手合せ動作３＞
本発明の通帳伝票プリンタの第３の実施の形態における手合せ時の動作を図１１に示す動作フローチャートにより説明する。なお、Ｓは動作ステップを示す。
【００６６】
係員はキーボード部２９から「手合せ印字処理」を指示入力すると、制御部２６はセット釦２８を有効にする。続いて、通帳挿入口１４から媒体挿入ガイド３ａに沿って通帳２が挿入されると、通帳挿入検出センサＳＥ１がこれを検出する。また、伝票６が挿入されると伝票挿入検出センサＳＥ２がこれを検出することになる（Ｓ６１）。まず、伝票６が挿入された場合を説明する。
【００６７】
係員は伝票６を手に持って、伝票挿入ステージ７から伝票挿入ガイド７ａに沿って伝票搬送路１０に向かって挿入すると伝票挿入検出センサＳＥ２がＯＮすることになる。
【００６８】
制御部２６は伝票挿入検出センサＳＥ２の検出（ＯＮ）信号を得ると、幅寄せローラマグネット３７を励磁して伝票６を幅寄せローラ４１とアイドルローラ４２とで挟持する（Ｓ６２）。この動作後においても伝票挿入検出センサＳＥ２がＯＮ状態を維持していたら（Ｓ６３）、通帳クランプマグネット２２の励磁を無効にしてクランプ待機状態にする（Ｓ６４）。また、伝票挿入検出センサＳＥ２がＯＦＦ状態となっていれば幅寄せローラマグネット３７の励磁を中止して、幅寄せローラ４１を開放させステップＳ６１に戻る（Ｓ６５）。
【００６９】
次に係員は、通帳２を持って印字位置合せマーク３ｃと所望する印字位置に対応する位置マーク２ｂを目視で一致させる（Ｓ６６）。この手合せ操作時には、例えば伝票６の後端部が伝票挿入ステージ７から垂れ下がっていて、印字位置合せマーク３ｃが見にくいことがある。
【００７０】
この時に係員は、伝票６の表面に手を添えて、軽く右方向に手を移動させると、伝票６は幅寄せローラ４１で挟持されているが、一方向回転クラッチ４１ａの作用により幅寄せローラ４１は伝票６との摩擦力により左回転し、伝票６の右方向への移動の負荷にはならない。係員による伝票６の右方向への移動は、ガイドライン７ｂが目視できる位置までの間において行うように予め取り決めてある。
【００７１】
通帳２の手合せが完了しセット釦２８が押下されると（Ｓ６７）、制御部２６はこの信号を受けて通帳クランプマグネット２２を励磁させて通帳２を挟持する（Ｓ６８）。制御部２６が吸入指示を発信すれば、通帳ＬＦモータ２０を回転駆動して通帳２を所定量だけ吸入することになる（Ｓ６９）。この吸入により手合せした通帳２はプラテン１８まで搬送され、印字ヘッド１７により印字処理が行われることになる。
【００７２】
次に伝票の処理に戻って説明すると、幅寄せ検出センサＳＥ３のＯＮ／ＯＦＦを確認する（Ｓ７０）。幅寄せ検出センサＳＥ３がＯＦＦであると、制御部２６は幅寄せモータ４０に右回転命令を指示する、この回転は図１０に示す矢印Ｍ方向であるから一方向回転クラッチ４１ａは幅寄せローラ４１に回転力を伝達する（Ｓ７１）。この回転が行われると伝票６は伝票挿入ガイド７ａに向かって移動される。よって、幅寄せローラ４１が連続して右回転されると、伝票６が移動して幅寄せ検出センサＳＥ３がＯＮする。
【００７３】
制御部２６により回転ステップ数が予め定めたステップ数（ｎ）以上になっても幅寄せ検出センサＳＥ３のＯＮ信号が得られなかったら幅寄せ不良として処理を中止する（Ｓ７３）。ステップＳ７０，７１，７２の動作、及び幅寄せ検出センサＳＥ３がＯＮしたら、最後に幅寄せモータ４０に所定量の回転命令を送信して、停止させる（Ｓ７４）。
【００７４】
幅寄せモータ４０が停止したら、伝票クランプマグネット２３を励磁させて、伝票６を挟時した後（Ｓ７５）、所定時間が経過したら幅寄せローラマグネット３７の励磁を中止する（Ｓ７６）。
【００７５】
制御部２６が吸入指示を発信すれば、伝票ＬＦモータ２１を回転駆動して伝票６を所定量だけ吸入することになる（Ｓ７７）。伝票挿入ガイド７ａまで引き寄せられた伝票６はこの吸入によりプラテン１８まで搬送され、印字ヘッド１７により印字処理が行われることになる。
【００７６】
ステップＳ６１において、通帳挿入検出センサＳＥ１が通帳２を検出した場合を説明する。なお、通帳２と伝票６を同時に挿入することは無理な操作であり、現実的には不可能である。よって、この場合にはいずれにしても伝票６は「未挿入」と判断するのは前述と同一である。
【００７７】
制御部２６は通帳クランプマグネット２２の励磁を無効にしてクランプ待機状態を維持する（Ｓ７８）。通帳２の手合せが完了しセット釦２８が押下されると（Ｓ７９）、制御部２６はこの信号を受けて通帳クランプマグネット２２を励磁させて通帳２を挟持する（Ｓ８０）。制御部２６が吸入指示を発信すれば、通帳ＬＦモータ２０を回転駆動して通帳２を所定量だけ吸入することになる（Ｓ８１）。この吸入により手合せした通帳２はプラテン１８まで搬送され、印字ヘッド１７により印字処理が行われることになる。
【００７８】
制御部２６は伝票挿入検出センサＳＥ２の検出（ＯＮ）信号を得ると（Ｓ８２）、伝票クランプマグネット２３を励磁してプレッシャローラ８を動作させて伝票６を挟持する（Ｓ８３）。この動作後においても伝票挿入検出センサＳＥ２がＯＮ状態を維持していたら（Ｓ８４）、制御部２６は幅寄せローラマグネット３７を励磁させる。また、伝票挿入検出センサＳＥ２がＯＦＦ状態となっていれば伝票クランプマグネット２３の励磁を中止して、プレッシャローラ８を開放させステップＳ８２に戻る（Ｓ８５）。
【００７９】
幅寄せローラマグネット３７により幅寄せローラ４１が下降して、伝票搬送路１０の上側ガイド７ｅより突出して伝票６を挟時する（Ｓ８６）。ステップＳ８６の幅寄せローラマグネット３７の励磁後、所定時間が経過したら伝票クランプマグネット２３の励磁を中止する（Ｓ８７）。以降はステップＳ７０に移る。
【００８０】
以上説明したように、手合せセットを行う際に、次の操作として通帳２の手合せ挿入（操作）を行うことを承知しているが、伝票挿入ガイド７ａに沿って挿入してしまうことがある。この状態では印字位置合せマーク３ｃが見づらく手合せがしにくいが、伝票６を容易に伝票挿入ガイド７ａから離れる方向に移動できる。
よって、手合せ操作が容易になる。また、伝票６が斜めになっていまうことが有りうるが吸入前に幅寄せするので差し支えない。
【００８１】
本発明の第４の実施の形態の説明を行う。図１２は通帳伝票プリンタの要部構成を示す側面図で、図１３は要部構成を示す斜視図，図１４はその制御ブロック図である。なお、前述の実施の形態と同じ部分は同一の符号を付して説明は省略し、異なる部分のみを説明する。
【００８２】
５０ａ及び５０ｂは媒体挿入ガイド３ａより外側で、所定の距離に設けられた光源で可視光を発生できるものである。５１ａ，５１ｂは媒体挿入ガイド３ａ面に設けられたスリット状の長穴（以後、スリットとする）であり、通帳挿入ステージ３ｂと直交する方向を長手方向としている。このスリット５１ａには光源５０ａが対応し、スリット５１ｂには光源５０ｂが対応しており、例えば光源５０ａが点灯されるとその可視光はスリット５１ａから漏れた光として通帳挿入ステージ３ｂ上に光線路５２ａを形成する。
【００８３】
この光線路５２ａは通帳挿入ステージ３ｂに形成されるが、媒体挿入ガイド３ａ面から５〜２０ｍｍ程度が明瞭になるように光源５０ａとの距離やスリット幅が考慮されている。よって、媒体挿入ガイド３ａ面から５ｍｍ程度の範囲には光線路５２ａが明瞭に形成しないため、通帳２に位置マーク２ｂが存在しても光線が反射して見ずらくならないようになっている。なお、本実施の形態の説明では光源５０ａとスリット５１ａ間に空間を設け、かつ、スリット穴としているが、透明部材によりスリット部を形成（透明部材で埋める）すれば塵や紙粉などによる光量低下等の影響を除くこともできる。
【００８４】
５３はドライバ回路であり、前述した各モータ２０，２１や各クランプマグネット２２，２３及び光源５０ａ，５０ｂの駆動回路である。２５はアンプ回路で、通帳挿入検出センサＳＥ１や伝票挿入検出センサＳＥ２等の増幅回路であり、制御部５４が各信号を検出することにより制御部５４からドライバ回路５３に駆動指示が発信されるようにプログラムされている。５５は制御部５４内に設けられた表示切替制御部であり、手合せ処理が選択された時に光源５０ａ又は５０ｂのいずれを点灯させるか、また、セット釦２８からの信号に基づいてそれらの消灯などの制御を行う部位である。
【００８５】
＜媒体の手合せ動作４＞
本発明の第４の実施の形態の通帳伝票プリンタにおける媒体挿入時の媒体搬送動作を図１５に示す動作フローチャート及び、図１６に示す表示部の表示例の説明図により説明する。なお、Ｓは動作ステップを示す。
【００８６】
係員はキーボード部２９から「手合せ印字処理」を指示入力すると、制御部５４はプレッシャローラ４の動作を待機させると共に、セット釦２８を有効にし、表示部３０に手合せ位置を指示入力するよう表示する（Ｓ１０１）。この表示が図１６に示すものであり、例えば、第１行目〜第４行目であれば「０」キーを選択（押下）させて奥側のスリット５１ａを利用し、第５行目以降であれば「１」キーを選択し手前のスリット５１ｂ側を発光させて手合せを行うように誘導する（Ｓ１０２）。
【００８７】
係員が印字しようとする媒体（通帳とする）の印字行から判断して、手合せ位置（奥側で「Ａ」とする）を選択すると、表示切替制御部５５は光源５０ａの点灯を意味するフラグをセットして光源５０ａを点灯する。光源５０ａが点灯するとその可視光はスリット５１ａから通帳挿入ステージ３ｂ上に光線路５２ａを形成する（Ｓ１０３）。続いて通帳挿入口１４から媒体挿入ガイド３ａに通帳２の一側端（辺）を沿わせて挿入して、所望する印字位置２ａと光線路５２ａを目視で合わせる。この手合せ時には言うまでもなく、印字を所望する位置ライン上に光線路５０ａが形成されているので手合せが容易に行える。
【００８８】
手合せが行われるとセット釦２８が押下される（Ｓ１０４）。セット釦２８が押下されると制御部５４は通帳クランプマグネット２２の動作指示を出してプレッシャローラ４により通帳２を挟持する（Ｓ１０５）。制御部５４は通帳クランプマグネット２２の駆動指示後、光源５０ａの点灯を意味するフラグを確認して、表示切替制御部５５を制御して光源５０ａを消灯する（Ｓ１０６）。
【００８９】
制御部５４は確認したフラグ情報に基づいて、記憶部２７に格納されている搬送量（Ｌ３）を読取り、吸入指示待ち状態にする（Ｓ１０７）。あとは通帳ＬＦモータ２０を駆動して印字ヘッド１７に向かって搬送を開始することなる（Ｓ１０８）。
【００９０】
ステップＳ１０２において、手合せ位置（手前側を「Ｂ」とする）を選択すると、表示切替制御部５５は光源５０ｂの点灯を意味するフラグをセットして光源５０ｂを点灯する。光源５０ｂが点灯するとその光はスリット５１ｂから通帳挿入ステージ３ｂ上に光線路５２ｂを形成する（Ｓ１０９）。続いて通帳挿入口１４から媒体挿入ガイド３ａに通帳２の一側端（辺）を沿わせて挿入して、所望する印字位置２ａと光線路５２ｂを目視で合わせる。この手合せ時には前述した通り、印字を所望する位置ライン上に光線路５２ｂが形成されていることと、手合せ位置が挿入口側となるので手合せがより容易に行える。
【００９１】
手合せが行われるとセット釦２８が押下される（Ｓ１１０）。セット釦２８が押下されると制御部５４は通帳クランプマグネット２２の動作指示を出してプレッシャローラ４により通帳２を挟持する（Ｓ１１１）。制御部５４は通帳クランプマグネット２２の駆動指示後、光源５０ｂの点灯を意味するフラグを確認して、表示切替制御部５５を制御して光源５０ｂを消灯する（Ｓ１１２）。
【００９２】
制御部５４は確認したフラグ情報に基づいて、記憶部２７に格納されている搬送量（Ｌ４）を読取り、吸入指示待ち状態にする。あとは前記同様に通帳ＬＦモータ２０を駆動して印字ヘッド１７に向かって搬送を開始することなる。
【００９３】
以上説明したように、通帳２の印字面に光線路５２ａ又は５２ｂを形成でき、かつ、照明効果もあるので手合せが容易になる。更に、一般的な通帳では２４行程度の印字可能行を有することから、８割以上の印字行に対して手前側を利用できるので利便性がよい。よって、初期入力として手合せ位置の選択入力を行わないで、初期設定を手前側にしておき２割程度の印字行に対してのみ切替操作を行わせることも可能である。加えて、光源を点滅させて手合わせ誘導することや光源を可視光レーザダイオードとし、ビームを出射させるものでもよいことは言うまでもない。
【００９４】
次に第４の実施の形態の変形例を説明する。
図１７は印字位置合せマーク３ｃの他に第２の印字位置合せマーク３ｃ´を設けたもので、第４の実施の形態で説明したスリット５１ａ，５１ｂに替えてこの位置合せマーク３ｃ，３ｃ´を発光ダイオードで構成したものである。この場合には通帳挿入ステージ３ｂには横罫線４３、４３′を設けている。
【００９５】
図１８（ａ）は第４の実施の形態で説明した光源５０ａ，５０ｂとスリット５１ａ，５１ｂ部を空間ではなく、光透過部材５７で構成したものであり、埃の付着防止，光源の保護などに効果がある。また、埃の付着防止，光源の保護などが他の方策で提供される時には図１８（ｂ）に示すように光源５０a及び５０ｂとスリット５１ａ，５１ｂの間に遮蔽板５８を設けることもできる。この遮蔽板５８を図示しない移動手段により矢印Ｋ方向に移動させ、光通過穴５８ａとスリット５１ａ又は５１ｂのいずれかと対応させれば光源の切替え手段は不要である。更に、実装方法によっては光源を１個にすることも可能である。
【００９６】
【発明の効果】
以上、説明した本発明は次の効果を奏する。
伝票が挿入されるとその伝票の先端が合流部近傍に達するまで伝票搬送路内を搬送させる、よって、伝票の後端が伝票挿入ステージより引き上げられるため、比較的に縦長さの長い伝票であっても印字位置合せマークを隠すことがなくなり、手合せが容易になる。
【００９７】
伝票は伝票挿入ガイドから所定量離して挿入されるため、縦長さの長い伝票であっても印字位置合せマークを隠すことがなくなり、手合せが容易になる。
【００９８】
手合せセットを行う際に伝票挿入ガイドに沿って挿入してしまうことがあるが、この状態では印字位置合せマークが見づらく手合せがしにくいが、伝票を容易に伝票挿入ガイドから離れる方向に移動できるため手合せ操作が容易になる。
【００９９】
通帳の印字面に光線路を形成でき、かつ、照明効果もあるので手合せが容易になる。更に、一般的な通帳印字可能行数の８割以上の印字行に対して手合せの容易な印字位置合せマークを利用できるので利便性がよい。
【図面の簡単な説明】
【図１】本発明の第１の実施の形態の通帳伝票プリンタの要部構成を示す側面図である。
【図２】本発明の通帳伝票プリンタを示す概略側面図である。
【図３】本発明の第１の実施の形態の通帳伝票プリンタの制御ブロック図である。
【図４】本発明の第１の実施の形態の動作フローチャートである。
【図５】本発明の第２の実施の形態の通帳伝票プリンタの要部構成を示す斜視図である。
【図６】本発明の第２の実施の形態の幅寄せの概念を示す説明図である。
【図７】本発明の第２の実施の形態の通帳伝票プリンタの制御ブロック図である。
【図８】本発明の第２の実施の形態の動作フローチャートである。
【図９】本発明の第３の実施の形態の要部構成を示す斜視図である。
【図１０】本発明の第３の実施の形態の幅寄せの概念を示す説明図である。
【図１１】本発明の第３の実施の形態の動作フローチャートである。
【図１２】本発明の第４の実施の形態の通帳伝票プリンタの要部構成を示す側面図である。
【図１３】本発明の第４の実施の形態の要部構成を示す斜視図である。
【図１４】本発明の第４の実施の形態の通帳伝票プリンタの制御ブロック図である。
【図１５】本発明の第４の実施の形態の動作フローチャートである。
【図１６】本発明の第４の実施の形態の表示例を示す説明図である。
【図１７】本発明の第４の実施の形態の利用形態の要部構成を示す斜視図である。
【図１８】本発明の第４の実施の形態の利用形態の要部構成を示す斜視図である。
【図１９】通帳伝票プリンタの媒体搬送機構を示す概略説明図である。
【図２０】媒体のクランプ状態を示す説明図である。
【符号の説明】
１  通帳伝票プリンタ
２  通帳
２ａ  印字位置
３  通帳搬送路
４  プレッシャローラ
６  伝票
７  伝票挿入ステージ
１０  伝票搬送路
１１  共通搬送路
１２  合流部
２０  通帳ＬＦモータ
２１  伝票ＬＦモータ
２２  通帳クランプマグネット
２３  伝票クランプマグネット
３４、４０  幅寄せモータ
３５、４１  幅寄せローラ
５０ａ，５０ｂ  光源
５１ａ，５１ｂ  スリット
ＳＥ１  通帳挿入検出センサ
ＳＥ２  伝票挿入検出センサ
ＳＥ３  幅寄せ検出センサ
【図１】
0003695685.tif 000002
【図２】
0003695685.tif 000003
【図３】
0003695685.tif 000004
【図４】
0003695685.tif 000005
【図５】
0003695685.tif 000006
【図６】
0003695685.tif 000007
【図７】
0003695685.tif 000008
【図８】
0003695685.tif 000009
【図９】
0003695685.tif 000010
【図１０】
0003695685.tif 000011
【図１１】
0003695685.tif 000012
【図１２】
0003695685.tif 000013
【図１３】
0003695685.tif 000014
【図１４】
0003695685.tif 000015
【図１５】
0003695685.tif 000016
【図１６】
0003695685.tif 000017
【図１７】
0003695685.tif 000018
【図１８】
0003695685.tif 000019
【図１９】
0003695685.tif 000020
【図２０】
0003695685.tif 000021